(57)【特許請求の範囲】
【請求項１】
レンズ開口を備えているシャッタ基板と、
モータの駆動軸により上記シャッタ基板に沿って所定の角度範囲で回動可能に設けてある駆動レバーと、
上記レンズ開口よりも小径の中間絞り開口を有し、上記駆動レバーが中立になっている原位置において、上記駆動レバーによって該原位置から一方の方向へ回動可能であり、上記中間絞り開口は上記駆動レバーに対して上記一方の方向とは逆の方向の位置に設けてある第１の絞り羽根と、
上記中間絞り開口よりも小径の最小絞り開口を有し、上記原位置において、上記駆動レバーによって該原位置から他方の方向へ回動可能であり、上記最小絞り開口は上記駆動レバーに対して上記他方の方向とは逆の方向の位置に設けてある第２の絞り羽根とを備えており、
上記原位置において、上記駆動レバーは上記レンズ開口に向かって延伸し、上記第１の絞り羽根及び上記第２の絞り羽根を駆動する駆動部が設けてあり、
上記駆動部の揺動範囲は、上記第１の絞り羽根及び上記第２の絞り羽根の回転中心よりも上記レンズ開口に近い位置に設けてあり、
上記原位置において、上記第１の絞り羽根および上記第２の絞り羽根はいずれも上記レンズ開口に対して無遮蔽状態となる
ことを特徴とする絞り装置。
【請求項２】
請求項１において、上記駆動レバー、上記第１の絞り羽根及び上記第２の絞り羽根の回転中心は、上記モータの駆動軸に一致していることを特徴とする絞り装置。
【発明の詳細な説明】
【０００１】
【発明の技術分野】
本発明は、カメラの絞り装置に関するものである。
【０００２】
【従来の技術】
周知の通り、カメラの絞り装置は開口面積の小さいものを大きな数値で示し、開口面積の大きいものを小さな数値で示しており、最大開口面積（開放絞り）と小開口面積（最小絞り）との間を段階的に分けて、所望の絞り開口を選択可能としてある。
【０００３】
通常のカメラではこの絞り値は８〜１０段階に設定してあるが、最近の低価格カメラや電子式カメラ（デジタルカメラ）では、絞り機構を簡単化するために絞り値を３〜４段階程度に限定した絞り装置が採用されている。
【０００４】
このように絞り値の段階を少なくした絞り装置の例として、露光開口部を中心として対向位置にモータを配置し、露光開口部とモータの中心との間隔のほぼ中間位置に軸を設け、この軸に３つの絞り部材とＮＤフィルタ部材とをそれぞれ２つずつ揺動可能に設けている。３つの絞り部材のそれぞれに大中小の絞り用の開口部が設けてあり、ＮＤフィルタ部材は遮蔽面が設けてある。これら４つの部材には、揺動中心軸から外方へ向かって被押動部が延伸させてあり、この被押動部をモータの出力ピンが押すことにより、大中小の絞り用の開口部と遮蔽面とを選択的に露光開口部と一致させることにより絞り値を選択可能とするカメラ絞り機構が提案されている（特開平１１−１６０７５２号公報）。
【０００５】
【発明が解決しようとする課題】
上記の従来技術では、絞り装置を４段階に限定するようにしたもので，絞り装置の機構を簡単にしたものであることが認められる。しかしながら４つの部材の揺動中心軸から外方へ延伸する被押動部にモータの出力ピンが作用するので、作用点がそれだけ露光開口部から遠くなり、近来求められている小型化に十分に応えることができないという問題点がある。
【０００６】
【課題を解決するための手段】
上記課題を解決するために、本発明の絞り装置は、レンズ開口を備えているシャッタ基板と、モータの駆動軸により上記シャッタ基板に沿って所定の角度範囲で回動可能に設けてある駆動レバーと、上記レンズ開口よりも小径の中間絞り開口を有し、上記駆動レバーが中立になっている原位置において、上記駆動レバーによって該原位置から一方の方向へ回動可能であり、上記中間絞り開口は上記駆動レバーに対して上記一方の方向とは逆の方向の位置に設けてある第１の絞り羽根と、上記中間絞り開口よりも小径の最小絞り開口を有し、上記原位置において、上記駆動レバーによって該原位置から他方の方向へ回動可能であり、上記最小絞り開口は上記駆動レバーに対して上記他方の方向とは逆の方向の位置に設けてある第２の絞り羽根とを備えており、上記原位置において、上記駆動レバーは上記レンズ開口に向かって延伸し、上記第１の絞り羽根及び上記第２の絞り羽根を駆動する駆動部が設けてあり、上記駆動部の揺動範囲は、上記第１の絞り羽根及び上記第２の絞り羽根の回転中心よりも上記レンズ開口に近い位置に設けてあり、上記原位置において、上記第１の絞り羽根および上記第２の絞り羽根はいずれも上記レンズ開口に対して無遮蔽状態となっていることを特徴としている。このために駆動部の揺動範囲を両絞り羽根の回転中心よりもレンズ開口に近い位置にしているので、両絞り羽根と駆動部との作用点はレンズ開口に近い位置となり、装置を小型化することができる。また絞り、開口の選択を極めて小さな電力消費によって行うことができる。更に、絞り羽根の構成をシンプルなものにでき、コンパクトにできて安価に提供できる。
【０００７】
【発明の実施の形態】
上記の問題点を解決するために本発明の絞り装置は、レンズ開口を備えているシャッタ基板と、モータの駆動軸によりシャッタ基板に沿って所定の角度範囲で回動可能に設けてある駆動レバーと、レンズ開口よりも小径の中間絞り開口を有し、駆動レバーによって原位置から一方の方向へ回動可能であり、中間絞り開口は駆動レバーに対して一方の方向とは逆の方向の位置に設けてある第１の絞り羽根と、中間絞り開口よりも小径の最小絞り開口を有し、駆動レバーによって原位置から他方の方向へ回動可能であり、最小絞り開口は駆動レバーに対して他方の方向とは逆の方向の位置に設けてある第２の絞り羽根とを備えている。駆動レバーは、レンズ開口に向かって延伸し、第１の絞り羽根及び第２の絞り羽根を駆動する駆動部が設けてあり、駆動部の揺動範囲は、第１の絞り羽根及び第２の絞り羽根の回転中心よりもレンズ開口に近い位置に設けてある。そして、駆動レバーが中立になっているときには第１の絞り羽根および第２の絞り羽根はいずれもレンズ開口に対して無遮蔽状態となることを特徴としている。このことにより、レンズ開口に中間絞り開口が対向することで中間の絞りが選択でき、レンズ開口に最小絞り開口が対向することで最小の絞りが選択でき、両絞り羽根がレンズ開口に対向しない無遮蔽状態のときはレンズ開口による最大の絞りが選択できる。中間及び最小の絞り開口をそれぞれ別の質量の小さい部材に設けるので、絞り開口選択に置けるエネルギー消費を節減可能である。駆動部の揺動範囲を両絞り羽根の回転中心よりもレンズ開口に近い位置にして、両絞り羽根と駆動部との作用点をレンズ開口に近い位置とすることができ、装置を小型化するのに有効である。また、駆動レバー、第１の絞り羽根及び第２の絞り羽根の回転中心が、モータの駆動軸に一致している構成により、シンプルな構成にでき、コンパクトなものにできる。
【０００８】
【実施例】
本発明の一実施例を図面に基づいて説明する。
図１は絞り装置及びシャッタ羽根が原位置に静止している状態を示すものであるが、要部以外の他の要素は省略して示してある。なお、ここでは図面の上下左右で位置関係を示すものとする。
【０００９】
図示されていないシャッタ基板にレンズ開口１が設けてあり、レンズ開口１の上方に、図示しないシャッタ羽根用のモータによって回動される駆動軸２が設けてある。駆動軸２に撮影時にレンズ開口１を開閉するためのシャッタ羽根３が固定してある。シャッタ羽根３は駆動軸２の周囲の部分を駆動軸よりも大きな半径の円弧部で囲み、レンズ開口１を囲む部分をこのレンズ開口よりも大きな半径の円弧部で囲み、両円弧部を直線で結んで扇状に形成したものである。従って、駆動軸２がモータにより所定の角度範囲で回動されると、シャッタ羽根３が揺動し、レンズ開口１を開閉可能である。図１の状態ではモータが駆動されておらず、シャッタ羽根３は原位置にあり、レンズ開口１はシャッタ羽根３によって閉成されている。
【００１０】
絞り装置は、レンズ開口１に対して駆動軸２と反対の側に構成されている。即ち、レンズ開口１を挟んで駆動軸２と反対の側（レンズ開口の下方）に、図示しない絞り羽根用のモータによって駆動される駆動軸４が設けてある。この駆動軸４にシャッタ基板に沿って所定の角度範囲で回動可能に駆動レバー５の一端部が固定されている。駆動レバー５はレンズ開口１に向かって延伸しており、その先端に後述の１対の絞り羽根を駆動するための駆動部である駆動ピン５ａが設けてある。そして、駆動ピン５ａが揺動しても、駆動ピン５ａは常に駆動軸４よりレンズ開口１に近い位置となるように配置されている。このため、駆動軸４を従来よりもレンズ開口１に近づけ易くなり、装置の小型化が可能となる。
【００１１】
絞り羽根用の駆動軸４には、外周の形状が対称をなす１対の絞り羽根６、７が回動自在に取り付けてある。１対の絞り羽根６、７には、駆動軸４を中心として駆動ピン５ａの揺動半径よりも小径のほぼ円形板状の支持部６ａ、７ａが設けてあり、この支持部６ａ、７ａが重なり合うように駆動軸４に回転可能に取り付けられるものである。即ち、最上面側に第１の絞り羽根６が位置し、その下に第２の絞り羽根７が位置し、第２の絞り羽根７とシャッタ基板との間にシャッタ羽根３が位置するように重ね合わされている。
【００１２】
１対の絞り羽根６、７は、それぞれの支持部６ａ、７ａから駆動ピン５ａの外周を相互に反対側から回り込んで、それぞれの支持部の外周と平行に戻る湾曲したガイド溝部６ｅ、７ｅが形成されている。ガイド溝部６ｅは左側で開口しており、ガイド溝部７ｅは右側で開口している。駆動ピン５ａはこのガイド溝部に沿って移動可能である。絞り羽根６、７の羽根部６ｃ、７ｃは、駆動ピン５ａをそれぞれ回り込むための湾曲した連通部６ｂ、７ｂを介してそれぞれのガイド溝部６ｅ、７ｅ側に片寄った位置に形成されている。羽根部６ｃ、７ｃは、レンズ開口１を十分に覆うことが可能な大きさに設定されており、原位置において２つの駆動軸２、４を結ぶ中心線からそれぞれ左右にレンズ開口１からはずれた位置にある。即ち、羽根部６ｃは中心線の左側にレンズ開口１からはずれて位置し、羽根部７ｃは中心線の右側にレンズ開口１からはずれて位置している。羽根部６ｃ、７ｃの中央部にはレンズ開口１に対向可能でレンズ開口１よりも小径の円形の中間絞り開口６ｄと最小絞り開口７ｄがそれぞれ設けてある。
【００１３】
このように第１絞り羽根６と第２絞り羽根７とは中心線に対して対称形状をしているので、第１絞り羽根６は駆動レバー５によって原位置から右方向へ回動可能であり、中間絞り開口６ｄは第１絞り羽根６の回動方向とは逆の左方向の位置に設けられている。また第２絞り羽根７は駆動レバー５によって原位置から左方向へ回動可能であり、最小絞り開口７ｄは第２絞り羽根７の回動方向とは逆の右方向の位置に設けられている。
【００１４】
各絞り羽根の羽根部６ｃ、７ｃの外側部には、駆動モータの無通電時にそれぞれの絞り羽根を原位置へ復帰させる復帰ばね８、８が設けてある。また、各絞り羽根６、７は羽根部６ｃ、７ｃがシャッタ基板に突設してある度決めピン９、９に当接することにより原位置に停止可能であり、この位置が原位置である。原位置で駆動レバー５は駆動力を受けない中立位置にあり、第１の絞り羽根６及び第２の絞り羽根７はいずれもレンズ開口１に対して無遮蔽状態となっており、このときがレンズ開口による最大絞りの状態である。
【００１５】
次に動作について説明する。
図１の原位置においてシャッタ羽根用のモータに通電されて駆動されると、駆動軸２が回動し、シャッタ羽根３が揺動駆動されてレンズ開口１による露出が行われる。これにより最大絞り開口であるレンズ開口１による開放絞りが選択されたことになる。シャッタ羽根３は、設定されているシャッタ速度で開閉動作するため、直ちに原位置へ復帰する。
【００１６】
次に中間絞り開口６ｄを選択するときには、絞り羽根用のモータに一方方向回転の通電を行い、図２に示すように、駆動レバー５を時計方向に回動させると、駆動ピン５ａを介して第１の絞り羽根６が同じ時計方向に回動する。この時、駆動ピン５ａは第２の絞り羽根７のガイド溝部７ｅ内を移動するので、第２の絞り羽根７は停止状態を維持している。この時のモータへの通電は、中間絞り開口６ｄをレンズ開口１の中央部まで移動させるのに必要な駆動軸４の回動を与えるように設定してあるので、レンズ開口１と中間絞り開口６ｄとが重なった図示の状態で停止する。
【００１７】
この図２の状態でシャッタ羽根駆動用のモータに通電すると、図３に示すように、駆動軸２によりシャッタ羽根３が反時計方向に回動し、レンズ開口１が中間絞り開口６ｄにより絞り込まれた状態で露出されることになる。シャッタ羽根３が開閉して図２の位置に復帰したら、絞り羽根用のモータを無通電状態にすると、第１の絞り羽根６は復帰ばね８により原位置すなわち図１の状態に戻る。
【００１８】
次に最小絞り開口７ｄを選択する場合には、絞り羽根用のモータに他方方向回転の通電を行い、図４に示すように、駆動レバー５を反時計方向に回動させると、中間絞り開口の場合と同様に、駆動ピン５ａを介して第２の絞り羽根７が同じ反時計方向に回動する。この時は、駆動ピン５ａは第１の絞り羽根６のガイド溝部６ｅ内を移動するので、第１の絞り羽根６は停止状態を維持している。この時のモータへの通電は、最小絞り開口７ｄをレンズ開口１の中央部まで移動させるのに必要な駆動軸４の回動を与えるように設定してあるので、レンズ開口１と最小絞り開口７ｄとが重なった図示の状態で停止する。シャッタ羽根３の動作及び第２の絞り羽根７の復帰動作は、第１の絞り羽根６の場合と同様であり、シャッタ羽根３は図５の状態に揺動して最小絞り開口７ｄによる露出を行った後で図４の状態に戻り、次いで第２絞り羽根７が、復帰ばね８により図１の原位置に復帰する。
【００１９】
上述したように、駆動ピン５ａをどの位置に揺動させても両絞り羽根の回転中心よりもレンズ開口１に近い位置にしているので、装置の小型化が可能となる。また、絞り開口を選択する際の通電は開放絞りの場合には、絞り羽根用のモータを無通電にして駆動レバー５を中立状態にしておくだけでよいので、絞りのための電力消費は０である。また、中間絞り開口６ｄまたは最小絞り開口７ｄを選択する場合には、絞り羽根用のモータを駆動するのであるが、各絞り羽根６、７の羽根部６ｃ、７ｃの面積はレンズ開口１を遮蔽可能な大きさがあれば十分であるので、これを動かすためのエネルギーは少なくてすみ、さらに各絞り羽根６、７のいずれか一方を僅かな角度だけ回動させればよいので、電力消費が極めて小さいものですむことになる。
【００２０】
なお、上記実施例では初期状態において、シャッタ羽根が閉じており、絞り開口が選択された後にシャッタ羽根が開閉動作を行うものとして説明しているが、本発明はこのようなフィルムに露光する形式のカメラ用絞りの他に、通常はレンズ開口が開放になっており、絞り開口が選択された後で閉成する形式の電子式カメラの絞り装置等にも適用可能である。
【００２１】
【発明の効果】
本発明によれば、駆動部の揺動範囲を両絞り羽根の回転中心よりもレンズ開口に近い位置にしているので、当然のことながら両絞り羽根と駆動部との作用点はレンズ開口に近い位置となり、装置を小型化することが可能である。また絞り、開口の選択を極めて小さな電力消費によって行うことができる。更に、絞り羽根の構成をシンプルなものにでき、コンパクトにできて安価に提供できる。
【図面の簡単な説明】
【図１】駆動レバーが中立になっている状態を示す正面図である。
【図２】第１の絞り羽根が回動して中間絞り開口がレンズ開口と重なった状態を示す正面図である。
【図３】図２の状態からシャッタ羽根が開いた状態に移っていることを示す正面図である。
【図４】第２の絞り羽根が回動して最小絞り開口がレンズ開口と重なった状態を示す正面図である。
【図５】図４の状態からシャッタ羽根が開いた状態に移っていることを示す正面図である。
【符号の説明】
１        レンズ開口
４        駆動軸
５        駆動レバー
５ａ      駆動部（駆動ピン）
６        第１の絞り羽根
６ｄ      中間絞り開口
７        第２の絞り開口
７ｄ      最小絞り開口
【図１】
0004224182.tif 000002
【図２】
0004224182.tif 000003
【図３】
0004224182.tif 000004
【図４】
0004224182.tif 000005
【図５】
0004224182.tif 000006